(57)【要約】【課題】ロッド部を確実に第１のインキ流出間隙の中心部にガイドすることができ、高いインキ流出性を得るボールペンを提供する。【解決手段】チップ本体２内面に、ボール受け座用の複数の第１の内方突出部５を内方への押圧変形により設ける。前端縁部４と第１の内方突出部５との間で回転可能にボール３を抱持する。第１の内方突出部５より後方のチップ本体２内面に複数の第２の内方突出部６を内方への押圧変形により設ける。第１の内方突出部５のインキ流出間隙５１及び第２の内方突出部６のインキ流出間隙６１にロッド部７１を遊挿させる。各々の第１の内方突出部５の後側表面の中心部に傾斜状の第１の凹部５ａを形成する。各々の第２の内方突出部６の後側表面の中心部に傾斜状の第２の凹部６ａを形成する。【選択図】  図１
2013184373.tif 000002
【特許請求の範囲】
【請求項１】
金属製の筒体からなるチップ本体の前端に内向きの前端縁部を設け、前記前端縁部の後方のチップ本体内面にボール受け座用の複数の第１の内方突出部を内方への押圧変形により設け、前記前端縁部と前記第１の内方突出部との間で回転可能にボールを抱持し、前記第１の内方突出部より後方のチップ本体内面に複数の第２の内方突出部を内方への押圧変形により設け、前記第１の内方突出部の相互間に中心部から径方向外方に放射状に延びる第１のインキ流出間隙を形成し、前記第２の内方突出部の相互間に中心部から径方向外方に放射状に延びる第２のインキ流出間隙を形成し、前記第１のインキ流出間隙及び第２のインキ流出間隙に、ボールを前方に付勢し且つボールを前端縁部の内面に密接させるロッド部を遊挿させてなるボールペンであって、
前記各々の第１の内方突出部の後側表面の中心部に傾斜状の第１の凹部を形成し、前記第１の凹部を、前記第１の凹部以外の前記第１の内方突出部の後側表面よりも平滑にし、前記各々の第２の内方突出部の後側表面の中心部に傾斜状の第２の凹部を形成し、前記第２の凹部を、前記第２の凹部以外の前記第１の内方突出部の後側表面よりも平滑にしたことを特徴とするボールペン。
【請求項２】
前記各々の第１の内方突出部の径方向の頂部に軸方向に延びる第１の凹溝を形成し、前記各々の第１の内方突出部において、前記第１の凹溝と前記第１の凹部とを接続し、前記各々の第２の内方突出部の径方向の頂部に軸方向に延びる第２の凹溝を形成し、前記各々の第２の内方突出部において、前記第２の凹溝と前記第２の凹部とを接続してなる請求項１記載のボールペン。
【請求項３】
前記第１の内方突出部及び前記第２の内方突出部を前記チップ本体の後端開口部から視認した際、隣接する前記第２の凹溝と第２の凹溝との間に、前記各々の第１の凹溝が視認される請求項２記載のボールペン。
【請求項４】
前記各々の第１の内方突出部の第１の凹溝に接する仮想内接円の最小直径が、前記ロッド部の直径より大きく設定され、前記各々の第２の内方突出部の第２の凹溝に接する仮想内接円の最小直径が、前記ロッド部の直径より大きく設定され、前記各々の第２の内方突出部の第２の凹溝に接する仮想内接円の最小直径が、前記各々の第１の内方突出部の第１の凹溝に接する仮想内接円の最小直径より小さく設定される請求項３記載のボールペン。
【請求項５】
前記前端縁部の内面及び／または前記ボールの表面に炭素質膜を設けてなるとともに、前記炭素質膜が、炭素原子及び該炭素原子と結合した酸素原子を有する請求項１乃至４の何れか一つに記載のボールペン。
【請求項６】
金属製の筒体からなるチップ本体の前端に内向きの前端縁部を設け、前記前端縁部の後方のチップ本体内面にボール受け座用の複数の第１の内方突出部を内方への押圧変形により設け、前記前端縁部と前記第１の内方突出部との間で回転可能にボールを抱持し、前記第１の内方突出部より後方のチップ本体内面に複数の第２の内方突出部を内方への押圧変形により設け、前記第１の内方突出部の相互間に中心部から径方向外方に放射状に延びる第１のインキ流出間隙を形成し、前記第２の内方突出部の相互間に中心部から径方向外方に放射状に延びる第２のインキ流出間隙を形成し、前記第１のインキ流出間隙及び第２のインキ流出間隙に、ボールを前方に付勢し且つボールを前端縁部の内面に密接させるロッド部を遊挿させてなるボールペンの製造方法であって、
前記第１の内方突出部を形成した後、前記第２の内方突出部を形成してなり、
前記第１の内方突出部を形成する際、円柱状外面と、その後方に連設され且つ後方に向かうに従い拡径する円錐状外面とを備えた第１のガイドピンを用い、前記第１のガイドピンの円柱状外面を前記各々の第１の内方突出部の径方向の頂部に圧接させるとともに、前記第１のガイドピンの円錐状外面を各々の第１の内方突出部の後側表面の中心部に圧接させることより、前記各々の第１の内方突出部の径方向の頂部に軸方向に延びる円柱凹面状の第１の凹溝を圧潰形成するとともに、前記各々の第１の内方突出部の後側表面の中心部に円錐凹面状の第１の凹部を圧潰形成し、
前記第２の内方突出部を形成する際、円柱状外面と、その後方に連設され且つ後方に向かうに従い拡径する円錐状外面とを備えた第２のガイドピンを用い、前記第２のガイドピンの円柱状外面を前記各々の第２の内方突出部の径方向の頂部に圧接させるとともに、前記第２のガイドピンの円錐状外面を各々の第１の内方突出部の後側表面の中心部に圧接させることより、前記各々の第２の内方突出部の径方向の頂部に軸方向に延びる円柱凹面状の第２の凹溝を圧潰形成するとともに、前記各々の第２の内方突出部の後側表面の中心部に円錐凹面状の第２の凹部を圧潰形成してなることを特徴とするボールペンの製造方法。
【発明の詳細な説明】
【技術分野】
【０００１】
本発明は、ボールペン及びボールペンの製造方法に関する。
【背景技術】
【０００２】
従来、特許文献１には、金属製のチップ本体の前端に内向きの前端縁部を設け、前記前端縁部の後方のチップ本体内面にボール受け座用の複数の内方突出部を内方への押圧変形により設け、前記前端縁部と前記内方突出部との間で回転可能にボールを抱持し、前記内方突出部の相互間に、中心部から径方向外方に放射状に延びるインキ流出間隙を形成し、前記インキ流出間隙に、ボールを前方に付勢し且つボールを前端縁部の内面に密接させるロッド部を遊挿させてなるボールペンであって、前記ボール受け座用の複数の内方突出部を第１の内方突出部とし、前記第１の内方突出部より後方のチップ本体内面に複数の第２の内方突出部を設け、前記第２の内方突出部の相互間に中心部から径方向外方に放射状に延びるインキ流出間隙を形成し、前記第２の内方突出部の相互間のインキ流出間隙に前記ロッド部を遊挿させてなることを特徴とするボールペンが記載されている。
【先行技術文献】
【特許文献】
【０００３】
【特許文献１】特開２０１１−２４５８４１号公報
【発明の概要】
【発明が解決しようとする課題】
【０００４】
前記特許文献１のボールペンは、ロッド部をインキ流出間隙の中心部にガイドすることができるとしても、スプリングのロッド部の前端が切断時のバリ等によって鋭利な状態になっていると、ロッド部の挿入時に、ロッド部の前端が第１に内方突出部または第２の内方突出部の何れかの頂部や後側表面に引っ掛かり、ロッド部が適正にボール後面に到達せず、組立不良が生じるおそれがある。
【０００５】
前記特許文献１のボールペンは、第１の内方突出部及び第２の内方突出部の頂部が凸曲面状を有するため、より一層の高いインキ流出性を得るには限界がある。
【０００６】
ところで、ボールペンに用いられるインキは、水性ボールペン用インキ、剪断減粘性が付与された水性又は油性のボールペン用インキ、油性ボールペン用インキ、に大別できる。近年、剪断減粘性が付与された水性又は油性のボールペン用インキ、及び、油性ボールペン用インキは、筆感向上等を日的として、粘度を低くすることが望まれている。
【０００７】
本発明者による、回転するボールとボール抱持部との関係についての分析によれば、ボールとボール抱持部との間にボールペン用インキが入り込むことで形成される流体潤滑、ボールとボール抱持部とが直接に接触する境界潤滑、流体潤滑と境界潤滑とが混じり合った混合潤滑、のそれぞれの状態がある。
【０００８】
しかし、ボール及びパイプの硬度を高くしただけでは、ボール及びボール抱持部の摩耗を完全に防止するには至っていないのが現実である。これは、ボールとボール抱持部との接触部位をミクロ的に見た場合には、ボールとボール抱持部との界面にボールペン用インキが介在することなく直接接触する境界潤滑の状態となる場合があり、特にボールペン用インキが低粘度の場合に生じやすいためであると推測する。
【０００９】
本発明は前記従来の問題点を解決するものであって、ロッド部を確実に第１のインキ流出間隙の中心部（ボール受け座の中心部）にガイドすることができ、しかも、高いインキ流出性が得られ、また、長期にわたり安定したシール性を維持できるボールペン及びその製造方法を提供しようとするものである。
【課題を解決するための手段】
【００１０】
本願の第１の発明は、金属製の筒体からなるチップ本体２の前端に内向きの前端縁部４を設け、前記前端縁部４の後方のチップ本体２内面にボール受け座用の複数の第１の内方突出部５を内方への押圧変形により設け、前記前端縁部４と前記第１の内方突出部５との間で回転可能にボール３を抱持し、前記第１の内方突出部５より後方のチップ本体２内面に複数の第２の内方突出部６を内方への押圧変形により設け、前記第１の内方突出部５の相互間に中心部から径方向外方に放射状に延びる第１のインキ流出間隙５１を形成し、前記第２の内方突出部６の相互間に中心部から径方向外方に放射状に延びる第２のインキ流出間隙６１を形成し、前記第１のインキ流出間隙５１及び第２のインキ流出間隙６１に、ボール３を前方に付勢し且つボール３を前端縁部４の内面に密接させるロッド部７１を遊挿させてなるボールペンであって、前記各々の第１の内方突出部５の後側表面の中心部に傾斜状の第１の凹部５ａを形成し、前記第１の凹部５ａを、前記第１の凹部５ａ以外の前記第１の内方突出部５の後側表面よりも平滑にし、前記各々の第２の内方突出部６の後側表面の中心部に傾斜状の第２の凹部６ａを形成し、前記第２の凹部６ａを、前記第２の凹部６ａ以外の前記第１の内方突出部５の後側表面よりも平滑にしたことを要件とする。
【００１１】
前記第１の発明のボールペン１は、各々の第１の内方突出部５の後側表面の中心部に傾斜状の第１の凹部５ａを形成し、第１の凹部５ａを、第１の凹部５ａ以外の第１の内方突出部５の後側表面よりも平滑にし、各々の第２の内方突出部６の後側表面の中心部に傾斜状の第２の凹部６ａを形成し、第２の凹部６ａを、前記第２の凹部６ａ以外の前記第１の内方突出部５の後側表面よりも平滑にしたことにより、ロッド部７１をチップ本体２内に挿入した際、ロッド部７１の鋭利な前端が第１の内方突出部５の後側表面または第２の内方突出部６の後側表面に当接した場合でも、ロッド部７１の前端が第１の内方突出部５の後側表面または第２の内方突出部６の後側表面引っ掛かることがなく、ロッド部７１の前端が、第１の凹部５ａまたは第２の凹部６ａに沿って第１のインキ流出間隙５１の中心部（チップ本体２の軸心側）にガイドされ、ボール３の後面を適正に押圧することができる。
【００１２】
本願の第２の発明は、前記第１の発明のボールペン１において、前記各々の第１の内方突出部５の径方向の頂部に軸方向に延びる第１の凹溝５ｂを形成し、前記各々の第１の内方突出部５において、前記第１の凹溝５ｂと前記第１の凹部５ａとを接続し、前記各々の第２の内方突出部６の径方向の頂部に軸方向に延びる第２の凹溝６ｂを形成し、前記各々の第２の内方突出部６において、前記第２の凹溝６ｂと前記第２の凹部６ａとを接続してなることを要件とする。
【００１３】
前記第２の発明のボールペン１は、各々の第１の内方突出部５の径方向の頂部に軸方向に延びる第１の凹溝５ｂを形成し、各々の第１の内方突出部５において、第１の凹溝５ｂと第１の凹部５ａとを接続し、各々の第２の内方突出部６の径方向の頂部に軸方向に延びる第２の凹溝６ｂを形成し、各々の第２の内方突出部６において、第２の凹溝６ｂと第２の凹部６ａとを接続してなることにより、ロッド部７１をチップ本体２の後端開口部からチップ本体２内に挿入した際、前記ロッド部７１の前端を、第２の内方突出部６の第２の凹部６ａに沿って第２のインキ流出間隙６１の中心部（チップ本体２の軸心側）にガイドし、その後、前記ロッド部７１の前端を、第２の内方突出部６の第２の凹溝６ｂに沿ってスムーズに前方に移動させることができる。それにより、ロッド部７１の前端が第２の内方突出部６に引っ掛かることを、より一層回避できる。さらに、前記ロッド部７１の前端を、第２の内方突出部６から前方に移動した後、前記ロッド部７１の前端が第１の内方突出部５の第１の凹部５ａに沿ってインキ流出間隙の中心部（チップ本体２の軸心側）にガイドされ、その後、前記ロッド部７１の前端を、第１の内方突出部５の第１の凹溝５ｂに沿って前方にスムーズに移動させることができる。それにより、ロッド部７１の前端が第１の内方突出部５に引っ掛かることを、より一層回避できる。
【００１４】
また、前記第２の発明のボールペン１は、第１の内方突出部５の頂部に第１の凹溝５ｂを設け、第１の内方突出部５の頂部に第２の凹溝６ｂを設けたこと、前記第１の凹溝５ｂと前記第１の凹部５ａとを接続し、前記第２の凹溝６ｂと前記第２の凹部６ａとを接続したことにより、第１の内方突出部５の後面及び第２の内方突出部６の後面でのインキ流通をスムーズにするとともに、第１の内方突出部５相互間及び第１の内方突出部５相互間に大きなインキ流通路を形成でき、高いインキ流出性が得られる。
【００１５】
本願の第３の発明は、前記第２の発明にボールペン１において、前記第１の内方突出部５及び前記第２の内方突出部６を前記チップ本体２の後端開口部から視認した際、隣接する前記第２の凹溝６ｂと第２の凹溝６ｂとの間に、前記各々の第１の凹溝５ｂが視認されることを要件とする。
【００１６】
前記第３の発明のボールペン１は、第１の内方突出部５及び第２の内方突出部６をチップ本体２の後端開口部から視認した際、隣接する第２の凹溝６ｂとの第２の凹溝６ｂとの間に、各々の第１の凹溝５ｂが視認されることにより、ロッド部７１を、第１のインキ流出間隙５１の中心部に、より一層、確実にガイドできる。
【００１７】
本願の第４の発明は、前記第２または第３の発明のボールペン１において、前記各々の第１の内方突出部５の第１の凹溝５ｂに接する仮想内接円の最小直径が、前記ロッド部７１の直径より大きく設定され、前記各々の第２の内方突出部６の第２の凹溝６ｂに接する仮想内接円の最小直径が、前記ロッド部７１の直径より大きく設定され、前記各々の第２の内方突出部６の第２の凹溝６ｂに接する仮想内接円の最小直径が、前記各々の第１の内方突出部５の第１の凹溝５ｂに接する仮想内接円の最小直径より小さく設定されることを要件とする。
【００１８】
前記第４の発明のボールペン１は、各々の第１の内方突出部５の第１の凹溝５ｂに接する仮想内接円の最小直径が、ロッド部７１の直径より大きく設定され、各々の第２の内方突出部６の第２の凹溝６ｂに接する仮想内接円の最小直径が、ロッド部７１の直径より大きく設定され、各々の第２の内方突出部６の第２の凹溝６ｂに接する仮想内接円の最小直径が、各々の第１の内方突出部５の第１の凹溝５ｂに接する仮想内接円の最小直径より小さく設定されることにより、ロッド部７１を、第１のインキ流出間隙５１の中心部に、より一層、確実にガイドできる。
【００１９】
本願の第５の発明は、前記第１乃至第４の何れかの発明のボールペン１において、前記前端縁部４の内面及び／または前記ボール３の表面に炭素質膜を設けてなるとともに、前記炭素質膜が、炭素原子及び該炭素原子と結合した酸素原子を有することを要件とする。
【００２０】
前記第５の発明のボールペン１は、前端縁部４の内面及び／またはボール３の表面に炭素原子及び該炭素原子と結合した酸素原子を有する炭素質膜を設けたことにより、前端縁部４の内面とボール３の表面との接触抵抗を軽減して、ボール３の回転をより円滑にできるとともに、前端縁部４の内面の耐摩耗性を著しく向上させることができ、長期にわたり安定したシール性とインキ流出性を維持できる。
【００２１】
また、本発明による筆記具に用いられるインキは、炭素質膜との親和性が高いことが望ましい。例えばボールペンに用いられるインキには、水や、アルコールやグリコールエーテル等の親水性官能基を有する成分が含まれていることが多い。このような成分を含むインキは、従来使用されていたボール、例えば表面処理がなされていない炭化ケイ素からなるボールとは親和性が低い。このため、ボールと前端縁部４との接触部分が境界潤滑となり易い傾向がある。しかしながら、本発明においては前端縁部４の内面またはボールの表面の少なくともいずれかに炭素質膜が形成されており、それと親和性の高いインキを用いることでボールと前端縁部４との間が流体潤滑となりやすい。また、ボールとインキとの親和性が向上することにより、インキの供給を安定化することができるので、書き出し性を良化し、より均一な筆跡及び良好な筆感を実現することが可能となる。このような炭素質膜に対するインキの親和性は、接触角により評価することができる。
【００２２】
尚、炭素質膜を形成する方法は、特に制限されない。例えば、炭化水素ガスを原料として用いるプラズマ化学気相堆積法（プラズマＣＶＤ法）又は触媒化学気相堆積法（ＣＡＴ−ＣＶＤ法）等により形成することができる。また、固体グラファイトを原料とするスパッタリング法、アークイオンプレーティング法等により形成することもできる。さらに、他の方法により形成してもよく、複数の方法を組み合わせて形成してもよい。
【００２３】
本発明において用いられる炭素質膜は、ダイヤモンド様膜（ＤＬＣ膜）に代表されるｓｐ２炭素−炭素結合（グラファイト結合）及びｓｐ３炭素−炭素結合（ダイヤモンド結合）を含む膜である。ＤＬＣ膜のようなアモルファス状態の膜であっても、ダイヤモンド膜のような結晶状態の膜であってもよい。しかしながら、本発明において炭素質膜は、ｓｐ３炭素−炭素結合のｓｐ２炭素−炭素結合に対する比率が高いほうが、炭素質膜の硬度が高くなるので好ましい。具体的には、ｓｐ３炭素−炭素結合のｓｐ２炭素−炭素結合に対する比率が０．３以上であることが好ましい。
【００２４】
また、通常、炭素質膜はｓｐ２炭素−水素結合及びｓｐ３炭素−水素結合を含んでいるが、本発明における炭素質膜には炭素−水素結合は必須の構成要素ではない。また、炭素質膜には本発明の効果を損なわない範囲でシリコン（Ｓｉ）又はフッ素（Ｆ）等が添加されていてもよい。
【００２５】
また、炭素質膜へ炭素−酸素結合を導入する方法は、例えば酸素プラズマ又は酸素を含むガスのプラズマ等の照射により行えばよい。酸素を含むガスとしては水蒸気、空気等を用いることができる。また、酸素原子を含む有機物化合物等のガスを用いることもできる。さらに、酸素を含む雰囲気において炭素質膜に紫外線を照射したり、炭素質膜を酸化性の溶液に浸漬することによって、酸素を導入することもできる。また、炭素質膜を成膜する際に雰囲気中の酸素濃度を高くすることにより、炭素質膜を成膜する際に炭素−酸素結合を導入することも可能である。炭素質膜の成膜直後にはその表面に未結合手が存在している。このため、成膜直後の炭素質膜を酸素を含む雰囲気に放置することにより未結合手と酸素とを反応させて炭素−酸素結合を導入することも可能である。
【００２６】
炭素質膜の膜厚は、特に限定されないが、０．００１μｍ〜３μｍの範囲が好ましく、０．００５μｍ〜１μｍの範囲であることがより好ましい。また、炭素質膜はボールの表面またはボール抱持室の内壁表面に直接形成することができるが、ボールまたはボール抱持室（前端縁部４と第１の内方突出部５の間のパイプ内面）と炭素質膜とをより強固に密着させるために、中間層を設けることが好ましい。中間層の材質としては、ボールまたはボール抱持室の種類に応じて種々のものを用いることができるが、例えばケイ素（Ｓｉ）と炭素（Ｃ）、チタン（Ｔｉ）と炭素（Ｃ）又はクロム（Ｃｒ）と炭素（Ｃ）からなるアモルファス膜等の公知のものを用いることができる。その厚みは特に限定されるものではないが、０．００１μｍ〜０．３μｍの範囲が好ましく、０．００５μｍ〜０．１μｍの範囲であることがより好ましい。中間層は、例えば、スパッタ法、ＣＶＤ法、プラズマＣＶＤ法、溶射法、イオンプレーティング法又はアークイオンプレーティング法等を用いて形成することができる。
【００２７】
本願の第６の発明は、金属製の筒体からなるチップ本体２の前端に内向きの前端縁部４を設け、前記前端縁部４の後方のチップ本体２内面にボール受け座用の複数の第１の内方突出部５を内方への押圧変形により設け、前記前端縁部４と前記第１の内方突出部５との間で回転可能にボール３を抱持し、前記第１の内方突出部５より後方のチップ本体２内面に複数の第２の内方突出部６を内方への押圧変形により設け、前記第１の内方突出部５の相互間に中心部から径方向外方に放射状に延びる第１のインキ流出間隙５１を形成し、前記第２の内方突出部６の相互間に中心部から径方向外方に放射状に延びる第２のインキ流出間隙６１を形成し、前記第１のインキ流出間隙５１及び第２のインキ流出間隙６１に、ボール３を前方に付勢し且つボール３を前端縁部４の内面に密接させるロッド部７１を遊挿させてなるボールペンの製造方法であって、前記第１の内方突出部５を形成した後、前記第２の内方突出部６を形成してなり、前記第１の内方突出部５を形成する際、円柱状外面１１ａと、その後方に連設され且つ後方に向かうに従い拡径する円錐状外面１１ｂとを備えた第１のガイドピン１１を用い、前記第１のガイドピン１１の円柱状外面１１ａを前記各々の第１の内方突出部５の径方向の頂部に圧接させるとともに、前記第１のガイドピン１１の円錐状外面１１ｂを各々の第１の内方突出部５の後側表面の中心部に圧接させることより、前記各々の第１の内方突出部５の径方向の頂部に軸方向に延びる円柱凹面状の第１の凹溝５ｂを圧潰形成するとともに、前記各々の第１の内方突出部５の後側表面の中心部に円錐凹面状の第１の凹部５ａを圧潰形成し、前記第２の内方突出部６を形成する際、円柱状外面１２ａと、その後方に連設され且つ後方に向かうに従い拡径する円錐状外面１２ｂとを備えた第２のガイドピン１２を用い、前記第２のガイドピン１２の円柱状外面１２ａを前記各々の第２の内方突出部６の径方向の頂部に圧接させるとともに、前記第２のガイドピン１２の円錐状外面１２ｂを各々の第１の内方突出部５の後側表面の中心部に圧接させることより、前記各々の第２の内方突出部６の径方向の頂部に軸方向に延びる円柱凹面状の第２の凹溝６ｂを圧潰形成するとともに、前記各々の第２の内方突出部６の後側表面の中心部に円錐凹面状の第２の凹部６ａを圧潰形成してなることを要件とする。
【００２８】
前記第６の発明のボールペンの製造方法によれば、ロッド部７１をチップ本体２内に挿入した際、ロッド部７１の鋭利な前端が第１の内方突出部５の後側表面または第２の内方突出部６の後側表面に当接した場合でも、ロッド部７１の前端が第１の内方突出部５の後側表面または第２の内方突出部６の後側表面引っ掛かることがなく、ロッド部７１の前端が第１の凹部５ａ及び第１の凹溝５ｂ、並びに第２の凹部６ａ及び第２の凹溝６ｂに沿って第１のインキ流出間隙５１の中心部（チップ本体２の軸心側）にガイドされ、ボール３後面を適正に押圧するボールペンを得る。
【００２９】
また、前記第６の発明のボールペンの製造方法によれば、第１の内方突出部５の後面及び第２の内方突出部６の後面でのインキ流通をスムーズにするとともに、第１の内方突出部５相互間及び第１の内方突出部５相互間に大きなインキ流通路を形成でき、高いインキ流出性を備えたボールペンが得られる。また、前記第６の発明のボールペンの製造方法は、一本のガイドピン７によって、第１の内方突出部５における第１の凹部５ａと第１の凹溝５ｂ、及び第２の内方突出部６における第２の凹部６ａと第２の凹溝６ｂを圧潰形成するので、第１の凹部５ａと第１の凹溝５ｂ、及び第２の凹部６ａと第２の凹溝６ｂとを確実に接続させることができる。
【発明の効果】
【００３０】
本発明のボールペンは、ロッド部を確実に第１のインキ流出間隙の中心部にガイドすることができる。
【００３１】
本発明のボールペンの製造方法は、ロッド部を確実に第１のインキ流出間隙の中心部にガイドすることができ、しかも、高いインキ流出性が得られるボールペンを得る。
【図面の簡単な説明】
【００３２】
【図１】本発明の実施の形態のボールペンの要部拡大縦断面図である。
【図２】図１のＡ−Ａ線断面図である。
【図３】図１のＢ−Ｂ線断面図である。
【図４】図１のＣ−Ｃ線矢視断面図である。
【図５】図１の第１の内方突出部の形成工程を示す縦断面図である。
【図６】図１の第２の内方突出部の形成工程を示す縦断面図である。
【図７】本発明の実施の形態のボールペンの縦断面図である。
【図８】図７の要部拡大断面図である。
【発明を実施するための形態】
【００３３】
図１乃至図８に本発明の実施の形態を示す。
本実施の形態のボールペン１は、チップ本体２と、該チップ本体２の後端部を保持するホルダー８と、該ホルダー８の後端部が圧入固着されるインキ収容管９と、該チップ本体２内及びホルダー８内に収容されるスプリング７と、インキ収容管９の後端開口部に取り付けられる尾栓１０とからなる。前記インキ収容管９内には、インキ９１と、該インキ９１の消費に伴い前進する追従体９２（例えば高粘度流体と固形物）とが収容される。
【００３４】
前記スプリング７は、前部のロッド部７１と、後部のコイル部７２とが一体に連設されてなる。前記スプリング７は、ステンレス鋼製線材により形成される。
【００３５】
前記チップ本体２は、前端にボール３を回転可能に抱持した金属製（例えばステンレス鋼製）の筒体からなる。前記チップ本体２の前端部には、カシメ変形により内向きの前端縁部４と、内方への押圧変形により形成した複数の第１の内方突出部５よりなるボール受け座とが形成される。前記前端縁部４とボール受け座とによって、ボール３が回転可能且つ前後に移動可能に抱持される。
【００３６】
前記ボールの材質は特に限定されないが、一般に金属またはセラミックスからなるものが用いられる。本発明による筆記具には耐久性が求められるために、高度の高い材料が選択されることが好ましい。例えば、炭化タングステン、酸化ジルコニウム、酸化アルミニウム、酸化ケイ素、炭化ケイ素などのセラミックスやステンレス鋼などの金属が用いられる。また、セラミックスと金属性結合材とからなる超硬合金を用いてもよい。このような超硬合金としては、タングステンカーバイトと、コバルトまたはニッケルなどの金属性結合材とからなるものが知られている。
【００３７】
本実施の形態では、直径０．５ｍｍの炭化タングステン（ＩＳＯ  Ｋ−１０相当）のボールを用いている。ボールの大きさは、その筆記具の用途や筆記時に要求される描線の幅などによって決められるが、一般に０．２５〜２．０ｍｍの範囲から選択される。
【００３８】
前記第１の内方突出部５より後方のチップ本体２内面には、複数の第２の内方突出部６が内方への押圧変形により形成される。前記第１の内方突出部５の個数（例えば３個）と第２の内方突出部６の設ける個数（例えば３個）は同数である。
【００３９】
前記スプリング７のロッド部７１が、チップ本体２の後端開口部より前方に挿入され、最初に、第２の内方突出部６の相互間の第２のインキ流出間隙６１に挿通され、次に、第１の内方突出部５の相互間の第２のインキ流出間隙６１に挿通される。
【００４０】
前記各々の第１の内方突出部５の後側表面の中心部に傾斜状の第１の凹部５ａを形成し、前記第１の凹部５ａを、前記第１の凹部５ａ以外の前記第１の内方突出部５の後側表面よりも平滑にする。前記各々の第１の内方突出部５の径方向の頂部に軸方向に延びる第１の凹溝５ｂを形成し、前記各々の第１の内方突出部５において、前記第１の凹溝５ｂと前記第１の凹部５ａとを接続する。
【００４１】
前記各々の第２の内方突出部６の後側表面の中心部に傾斜状の第２の凹部６ａを形成し、前記第２の凹部６ａを、前記第２の凹部６ａ以外の前記第１の内方突出部５の後側表面よりも平滑にする。前記各々の第２の内方突出部６の径方向の頂部に軸方向に延びる第２の凹溝６ｂを形成し、前記各々の第２の内方突出部６において、前記第２の凹溝６ｂと前記第２の凹部６ａとを接続する。
【００４２】
第１の内方突出部５の相互間の軸方向後方の延長線上のチップ本体２内面には、第２の内方突出部６が位置し、第２の内方突出部６の相互間の軸方向前方の延長線上のチップ本体２内面には、第１の内方突出部５が位置する。チップ本体２の後端開口部から第２の内方突出部６を視認したとき、第２の内方突出部６の相互間に第１の内方突出部５が視認される。即ち、第１の内方突出部５及び第２の内方突出部６をチップ本体２の後端開口部から視認した際、隣接する第２の凹溝６ｂと第２の凹溝６ｂとの間に、前記各々の第１の凹溝５ｂが視認される（図４参照）。それにより、前記第１の内方突出部５の相互間の第１のインキ流出間隙５１、及び前記第２の内方突出部６の相互間の第２のインキ流出間隙６１を十分に大きく設定でき、チップ本体２の前端からの十分なインキ流出性が得られるとともに、ロッド部７１を確実に第１のインキ流出間隙５１の中心部にガイドすることができ、また、筆記時、ロッド部７１が第１のインキ流出間隙５１の中心部に維持され、安定したボール３の回転が得られる。
【００４３】
各々の第１の内方突出部５の第１の凹溝５ｂに接する仮想内接円の最小直径が、ロッド部７１の直径より大きく設定される。各々の第２の内方突出部６の第２の凹溝６ｂに接する仮想内接円の最小直径が、ロッド部７１の直径より大きく設定される。各々の第２の内方突出部６の第２の凹溝６ｂに接する仮想内接円の最小直径が、各々の第１の内方突出部５の第１の凹溝５ｂに接する仮想内接円の最小直径より小さく設定される。それにより、ロッド部７１を、第１の内方突出部５の第１のインキ流出間隙５１の中心部と、第２の内方突出部６の第２のインキ流出間隙６１の中心部とに確実に遊挿配置することができる。
【００４４】
第１の内方突出部５と第２の内方突出部６とが近接して設けられる。それにより、ロッド部７１を、より一層確実に第１のインキ流出間隙５１の中心部にガイドすることができる。
【００４５】
また、第１の内方突出部５の後端より後方に第２の突出部の前端が位置する。それにより、第１の内方突出部５と第２の内方突出部６とが互いに影響し合うことがない。その結果、第１の内方突出部５及び第２の内方突出部６の各々の適正な形状を得る。さらに、第１の内方突出部５の後端より後方に第２の突出部６の前端が位置することにより、第１の内方突出部５と第２の内方突出部６とを近接して設けた場合でも、第２の突出部の第２のインキ流出間隙６１から第１の内方突出部５の第１のインキ流出間隙５１へのインキ流通性が低下するおそれがない。
【００４６】
・製造方法
図５に第１の内方突出部５の形成工程を示す。
先細状の前端部を備えた金属製の筒体を用意し、前記筒体の前端開口部より規制ピン１３を挿入し、且つ、前記筒体の後端開口部より第１のガイドピン１１を挿入し、その状態で、前記筒体の前記部側壁外面に複数（例えば３個）のポンチ１４を等間隔に打ち込み、筒体の側壁の押圧変形により複数（例えば３個）の第１の内方突出部５を形成する。
【００４７】
前記ポンチ１４は、円錐面状の先細形状を有し、前端部に平面部を備える。前記第１のガイドピン１１は、前端部の円柱状外面１１ａと、その後方に連設され且つ後方に向かうに従い拡径する円錐状外面１１ｂとを備える。前記規制ピン１３は、前方に向かうに従い拡径する円錐状外面１３ａと、その後方に連設される円柱状外面１３ａと、該円柱状外面１３ａの後端に形成される段部１３ｃとを備える。前記ポンチ１４の前端部に平面部を設けたことにより、凹溝５ｂ・６ｂを容易に圧潰形成できる。
【００４８】
前記第１の内方突出部５を形成する際、前記第１のガイドピン１１の円柱状外面１１ａを前記各々の第１の内方突出部５の径方向の頂部に圧接させるとともに、前記第１のガイドピン１１の円錐状外面１１ｂを各々の第１の内方突出部５の後側表面の中心部に圧接させることより、前記各々の第１の内方突出部５の径方向の頂部に軸方向に延びる円柱凹面状の第１の凹溝５ｂを圧潰形成するとともに、前記各々の第１の内方突出部５の後側表面の中心部に円錐凹面状の第１の凹部５ａを圧潰形成する。また、前記第１の内方突出部５を形成する際、筒体の前記規制ピン１３が前端開口部に挿入され、前記規制ピン１３の円錐状外面１３ａを各々の第１の内方突出部５の前側表面の中心部に圧接させることより、前記各々の第１の内方突出部５の前側表面の中心部に円錐凹面状のボール受け凹部５ｃを圧潰形成する。前記規制ピン１３の段部１３ｃは、前記規制ピン１３の段部１３ｃが前記筒体の前端に当接し、規制ピン１３の挿入量が一定に維持される。
【００４９】
図６に第２の内方突出部６の形成工程を示す。
前記第１の内方突出部５を形成した後、第２のガイドピン１２を筒体の後端開口部より挿入し、その状態で、筒体の第１の内方突出部５より後方の側壁外面に複数（例えば３個）のポンチ１４を等間隔に打ち込み、筒体の側壁の押圧変形により複数（例えば３個）の第２の内方突出部６を形成する。
【００５０】
前記第２の内方突出部６を形成する際、前記第２のガイドピン１２の円柱状外面１２ａを前記各々の第２の内方突出部６の径方向の頂部に圧接させるとともに、前記第２のガイドピン１２の円錐状外面１２ｂを各々の第１の内方突出部５の後側表面の中心部に圧接させることより、前記各々の第２の内方突出部６の径方向の頂部に軸方向に延びる円柱凹面状の第２の凹溝６ｂを圧潰形成するとともに、前記各々の第２の内方突出部６の後側表面の中心部に円錐凹面状の第２の凹部６ａを圧潰形成する。
【００５１】
前記チップ本体２の前端部に回転可能に抱持されたボール３の表面には、炭素−酸素結合を有する炭素質膜が形成されている。このため、ボールは耐久性が高いだけでなく、ボールとインキとの親和性が高い。その結果、ボール３と前端縁部４との隙間にインキが保持され、ボール３と前端縁部４との直接の接触が生じ難い。従って、ボール３と前端縁部４とが直接に接触することによるボール３及び前端縁部４の摩耗を低減でき、耐久性に優れ且つ使用に伴う書き味の劣化が生じにくいボールペンを実現する。また、ボールとインキとの親和性が向上することにより、ボールの回転をより円滑にでき、長期にわたり安定したインキ流出性とシール性を得る。
【００５２】
次に、炭素質膜の形成方法について説明する。ここでは、例としてボール３の表面に炭素質膜を形成させる方法を説明する。前端縁部４の内面に炭素質膜を形成させる場合にも同様の方法を応用することができる。
【００５３】
まず、ボール３の表面にＳｉとＣとを含むアモルファス膜からなる中間層を形成させる。成膜には例えばイオン化蒸着法を用いることができる。この方法では、真空ポンプを用いてイオン化蒸着用のチャンバー内を所定の圧力に調整すると共に、チャンバー内にテトラメチルシラン（Ｓｉ（ＣＨ３）４）を導入し、ボールにバイアス電圧（例えば１ｋＶ）を印加して、放電（例えば３０分間）を行う。成膜の際にチャンバー内においてボールを回転させることにより、ボールの表面全面に中間層を形成することができる。
【００５４】
中間層の形成後、チャンバー内に供給するガスをベンゼンに変更し、炭素質膜を形成する。チャンバー内を真空ポンプを用いて所定の圧力に調整した後、ボールにバイアス電圧（例えば１ｋＶ）を印加して、放電（例えば９０分間）を行う。成膜の際にチャンバー内においてボールを回転させることによりボールの表面全面に炭素質膜を形成することができる。
【００５５】
この後、酸素を含む雰囲気においてプラズマ照射を行い、炭素質膜への炭素−酸素結合の導入を行う。チャンバー内を例えば１００Ｐａの圧力に調整し、出力を例えば１０Ｗとしてプラズマ照射を行い、目的のボール３を得ることができる。
【００５６】
得られた炭素質膜に含まれる炭素−酸素結合の割合は、Ｘ線光電子分光（ＸＰＳ）測定により評価することができる。測定条件は、形成させる炭素質膜の種類、厚さなどによって調整されるが、例えば、試料に対する検出角度を９０°とし、Ｘ線源にはＡｌを用い、Ｘ線照射エネルギーを１００Ｗとすることができる。１回の測定の時間は０．１ｍｓ程度とされるのが一般的である。また、測定精度を高めるために、１つの試料について複数回、例えば６４回測定を行ってその平均値を測定結果とすることがある。
【００５７】
炭素質膜中のＣ−Ｏ、Ｃ＝Ｏ及びＯ＝Ｃ−Ｏの割合を求めるために、ＸＰＳ測定により得られた炭素１ｓ（Ｃ１ｓ）ピークを、炭素同士が結合したｓｐ３Ｃ−Ｃ及びｓｐ２Ｃ−Ｃ、炭素と水素とが結合したｓｐ３Ｃ−Ｈ及びｓｐ２Ｃ−Ｈ、炭素と酸素とが結合したＣ−Ｏ、Ｃ＝Ｏ及びＯ＝Ｃ−Ｏの７つの成分にカーブフィッティングにより分解する。カーブフィッティングにあたり、ｓｐ３Ｃ−Ｃの結合エネルギーは２８３．８ｅＶ、ｓｐ２Ｃ−Ｃの結合エネルギーは２８４．３ｅＶ、ｓｐ３Ｃ−Ｈの結合エネルギーは２８４．８ｅＶ、ｓｐ２Ｃ−Ｈの結合エネルギーは２８５．３ｅＶ、Ｃ−Ｏの結合エネルギーは２８５．９ｅＶ、Ｃ＝Ｏの結合エネルギーは２８７．３ｅＶ、Ｏ＝Ｃ−Ｏの結合エネルギーは２８８．８ｅＶとするのが適当である。カーブフィッティングにより得られた各ピークの面積をＣ１ｓピーク全体の面積により割った値を、各成分の組成比とした。Ｃ−Ｏ、Ｃ＝Ｏ及びＯ＝Ｃ−Ｏの組成比の和を炭素−酸素結合した炭素原子の全炭素原子に対する割合（ＣＯｔｏｔａｌ）とする。
【００５８】
炭素質膜が形成されたボールをオージェ電子分光分析装置（PHISICAL ELECTRONICS社製のＰＨＩ−６６０型走査型オージェ電子分光装置）により分析することで、中間層および炭素質膜の厚さを測定することができる。具体的には、炭素質膜が形成されたボールの表面を段階的にエッチングし、各段階でオージェ電子分光分析法により表面分析を行う。測定条件は、例えば、電子銃の加速電圧を１０ｋＶ、試料電流を５００ｎｍ、アルゴンイオン銃の加速電圧を２ｋＶとする。この測定条件により、ボール表面の４０μｍ角の領域について、各深さにおける分析を行うことで、中間層や炭素質膜の厚さを測定することができる。
【００５９】
前記した方法により製造した炭素質膜付きのボールについて分析した場合には以下の結果が得られた。炭素質膜が形成されたボールの表面から８０ｎｍ程度の深さまではほぼ炭素原子（Ｃ）だけが存在しており、炭素質膜が形成されていた。８０ｎｍ〜１２０ｎｍの深さにおいては、Ｓｉ原子が存在しており、ＳｉＣからなる中間層が形成されていた。１００ｎｍ以上の深さの部分では炭化タングステン（ＷＣ）だけが検出され、ボールである炭化タングステンの表面に、中間層および炭素質膜が形成されていることが確認された。
【００６０】
実施例
前記した方法により、ボール３表面に炭素質膜を形成させたボール（ＤＬＣ−１）と、プラズマ照射条件を変えることにより、炭素−酸素結合の割合が異なる炭素質膜を得たボール（ＤＬＣ−２）を作成した。具体的には、ＤＬＣ−１は、高周波電源の出力を１０Ｗとし、６０秒秒間酸素プラズマを照射した。ＤＬＣ−２は、高周波電源の出力を５０Ｗとし、６０秒間酸素プラズマを照射した。これらのボール３に形成された炭素質膜に含まれる各結合の割合を前記した方法で測定した。得られた結果は表１に示す通りであった。
【００６１】
【表１】
2013184373.tif 000003
【００６２】
酸素原子と結合した炭素原子の全炭素原子に対する比率（ＣＯｔｏｔａｌ）は、ＤＬＣ−１では０．１６であり、ＤＬＣ−２では０．４３であった。酸素プラズマを照射する際の電源出力が高いＤＬＣ−２の方がＤＬＣ−１よりもＣＯｔｏｔａｌの値が大きくなった。ＣＯｔｏｔａｌをさらに詳しくみると、Ｃ−Ｏの全炭素に対する比率は、ＤＬＣ−１とＤＬＣ−２とでほぼ同じとなったが、Ｃ＝Ｏの比率は、ＤＬＣ−２においてＤＬＣ−１の約６倍となり、Ｏ＝Ｃ−Ｏの比率は、ＤＬＣ−２においてＤＬＣ−１の約９倍となった。また、これらの炭素質膜におけるｓｐ３炭素−炭素結合のｓｐ２炭素−炭素結合に対する比率は０．３以上であった。
【００６３】
本発明によるボールペンにおいては、前記ボール３表面、または前記前端縁部４の内面の少なくとも一方に炭素質膜が形成されている。前記ボール３表面と前記前端縁部４の内面の両方に炭素質膜が形成されていてもよい。また、前端縁部４の外面に炭素質膜が形成されていてもよい。
【００６４】
次に、炭素質膜を形成していない炭化タングステンボール（ＷＣ）、前記したＤＬＣ−１、または前記したＤＬＣ−２と、前記した水性ゲルインキとの接触角に関し、測定を行った結果、未処理のボール（ＷＣ）＞炭素−酸素結合導入を行っていない炭素質膜（ＤＬＣ−０）＞ＤＬＣ−１＞ＤＬＣ−２という結果となった。このことから炭素−酸素結合を有する炭素質膜を形成することにより、ボールペン用インキとの親和性が向上していることは明らかである。
【００６５】
次に、前記の各ボールを具備したボールペンを準備して、荷重１００ｇｆ（約０．９８Ｎ）、筆記用紙（ＪＩＳ：Ｐ３２０１）を４ｍ／分にて走行試験を行った。筆記距離の１００ｍごとにボール先端位置の変化量（突出量）を測定した。
【００６６】
先に述べた摩耗量を測定した結果、炭素質膜を形成していない未処理のボール（ＷＣ）＞炭素−酸素結合導入を行っていない炭素質膜（ＤＬＣ−０）＞ＤＬＣ−１＞ＤＬＣ−２という結果となった。これは、水性ゲルインキにおいては、ボールと前端縁部４の内面との間での混合潤滑になると考えられるが、炭素−酸素結合を有する炭素質膜を形成した場合には、ボールとインキとの親和性が向上し、ボールと前端縁部４の内面との直接の接触が生じにくいため、ボール及び環状凸面部が摩耗しにくくなったためである考えられる。
【００６７】
本実施の形態のボールペン１は、各々の第１の内方突出部５の後側表面の中心部に傾斜状の第１の凹部５ａを形成し、第１の凹部５ａを、第１の凹部５ａ以外の第１の内方突出部５の後側表面よりも平滑にし、各々の第２の内方突出部６の後側表面の中心部に傾斜状の第２の凹部６ａを形成し、第２の凹部６ａを、前記第２の凹部６ａ以外の前記第１の内方突出部５の後側表面よりも平滑にしたことにより、ロッド部７１をチップ本体２内に挿入した際、ロッド部７１の鋭利な前端が第１の内方突出部５の後側表面または第２の内方突出部６の後側表面に当接した場合でも、ロッド部７１の前端が第１の内方突出部５の後側表面または第２の内方突出部６の後側表面引っ掛かることがなく、ロッド部７１の前端が、第１の凹部５ａまたは第２の凹部６ａに沿って第１のインキ流出間隙５１の中心部（チップ本体２の軸心側）にガイドされ、ボール３の後面を適正に押圧することができる。
【００６８】
本実施の形態のボールペン１は、各々の第１の内方突出部５の径方向の頂部に軸方向に延びる第１の凹溝５ｂを形成し、各々の第１の内方突出部５において、第１の凹溝５ｂと第１の凹部５ａとを接続し、各々の第２の内方突出部６の径方向の頂部に軸方向に延びる第２の凹溝６ｂを形成し、各々の第２の内方突出部６において、第２の凹溝６ｂと第２の凹部６ａとを接続してなることにより、ロッド部７１をチップ本体２の後端開口部からチップ本体２内に挿入した際、前記ロッド部７１の前端を、第２の内方突出部６の第２の凹部６ａに沿って第２のインキ流出間隙６１の中心部（チップ本体２の軸心側）にガイドし、その後、前記ロッド部７１の前端を、第２の内方突出部６の第２の凹溝６ｂに沿ってスムーズに前方に移動させることができる。それにより、ロッド部７１の前端が第２の内方突出部６に引っ掛かることを、より一層回避できる。さらに、前記ロッド部７１の前端を、第２の内方突出部６から前方に移動した後、前記ロッド部７１の前端が第１の内方突出部５の第１の凹部５ａに沿って第１のインキ流出間隙５１の中心部（チップ本体２の軸心側）にガイドされ、その後、前記ロッド部７１の前端を、第１の内方突出部５の第１の凹溝５ｂに沿って前方にスムーズに移動させることができる。それにより、ロッド部７１の前端が第１の内方突出部５に引っ掛かることを、より一層回避できる。
【００６９】
また、本実施の形態のボールペン１は、第１の内方突出部５の頂部に第１の凹溝５ｂを設け、第１の内方突出部５の頂部に第２の凹溝６ｂを設けたこと、前記第１の凹溝５ｂと前記第１の凹部５ａとを接続し、前記第２の凹溝６ｂと前記第２の凹部６ａとを接続したことにより、第１の内方突出部５の後面及び第２の内方突出部６の後面でのインキ流通をスムーズにするとともに、第１の内方突出部５相互間及び第１の内方突出部５相互間に大きなインキ流通路を形成でき、高いインキ流出性が得られる。
【００７０】
本実施の形態のボールペン１は、第１の内方突出部５及び第２の内方突出部６をチップ本体２の後端開口部から視認した際、隣接する第２の凹溝６ｂとの第２の凹溝６ｂとの間に、各々の第１の凹溝５ｂが視認されることにより、ロッド部７１を、第１のインキ流出間隙５１の中心部に、より一層、確実にガイドできる。
【００７１】
本実施の形態のボールペン１は、各々の第１の内方突出部５の第１の凹溝５ｂに接する仮想内接円の最小直径が、ロッド部７１の直径より大きく設定され、各々の第２の内方突出部６の第２の凹溝６ｂに接する仮想内接円の最小直径が、ロッド部７１の直径より大きく設定され、各々の第２の内方突出部６の第２の凹溝６ｂに接する仮想内接円の最小直径が、各々の第１の内方突出部５の第１の凹溝５ｂに接する仮想内接円の最小直径より小さく設定されることにより、ロッド部７１を、第１のインキ流出間隙５１の中心部に、より一層、確実にガイドできる。
【００７２】
本実施の形態のボールペン１は、前端縁部４の内面及び／またはボール３の表面に炭素原子及び該炭素原子と結合した酸素原子を有する炭素質膜を設けたことにより、前端縁部４の内面とボール３の表面との接触抵抗を軽減して、ボール３の回転をより円滑にできるとともに、前端縁部４の内面の耐摩耗性を著しく向上させることができ、長期にわたり安定したシール性とインキ流出性を維持できる。
【００７３】
本実施の形態のボールペンの製造方法によれば、ロッド部７１をチップ本体２内に挿入した際、ロッド部７１の鋭利な前端が第１の内方突出部５の後側表面または第２の内方突出部６の後側表面に当接した場合でも、ロッド部７１の前端が第１の内方突出部５の後側表面または第２の内方突出部６の後側表面引っ掛かることがなく、ロッド部７１の前端が第１の凹部５ａ及び第１の凹溝５ｂ、並びに第２の凹部６ａ及び第２の凹溝６ｂに沿って第１のインキ流出間隙５１の中心部（チップ本体２の軸心側）にガイドされ、ボール３後面を適正に押圧するボールペンを得る。
【００７４】
また、本実施の形態のボールペンの製造方法によれば、第１の内方突出部５の後面及び第２の内方突出部６の後面でのインキ流通をスムーズにするとともに、第１の内方突出部５相互間及び第１の内方突出部５相互間に大きなインキ流通路を形成でき、高いインキ流出性を備えたボールペンが得られる。
【符号の説明】
【００７５】
１  ボールペン
２  チップ本体
３  ボール
４  前端縁部
５  第１の内方突出部
５１  第１のインキ流出間隙
５ａ  第１の凹部
５ｂ  第１の凹溝
５ｃ  ボール受け凹部
６  第２の内方突出部
６１  第２のインキ流出間隙
６ａ  第２の凹部
６ｂ  第２の凹溝
７  スプリング
７１ ロッド部
７２  コイル部
８  ホルダー
９  インキ収容管
９１  インキ
９２  追従体
１０  尾栓
１１  第１のガイドピン
１１ａ  円柱状外面
１１ｂ  円錐状外面
１２  第２のガイドピン
１２ａ  円柱状外面
１２ｂ  円錐状外面
１３  規制ピン
１３ａ  円錐状外面
１３ｂ  円柱状外面
１３ｃ  段部
１４  ポンチ
【図１】
2013184373.tif 000004
【図２】
2013184373.tif 000005
【図３】
2013184373.tif 000006
【図４】
2013184373.tif 000007
【図５】
2013184373.tif 000008
【図６】
2013184373.tif 000009
【図７】
2013184373.tif 000010
【図８】
2013184373.tif 000011